(57)【要約】      （修正有）【課題】電子書籍のページをめくる際に、視覚効果が良く、且つゴースト現象が発生しない電子書籍端末及びそのページめくり制御方法の提供。【解決手段】電子書籍端末１００は、入力ユニット１０、表示ユニット２０、記憶ユニット３０及び処理ユニット４０とを備える。記憶ユニット３０には、少なくとも１つのページめくり効果図が記憶されており、処理ユニット４０は、更新モード制御モジュール４０２と、エリア設定モジュール４０３及び表示制御モジュール４０４とを含み、ページめくり効果図に基づいてページめくり表示制御を行う。【選択図】図１
2013012201.tif 000002
【特許請求の範囲】
【請求項１】
ページめくり操作に応答して対応する操作信号を生成する入力ユニットと、表示ユニットと、電子ファイルが記憶されている記憶ユニットと、前記入力ユニットからのページめくり信号を受信すると、前記記憶ユニットから既に開かれた電子ファイルにおける目標ページの内容を獲得するファイル獲得モジュールを含む処理ユニットと、を備える電子書籍端末において、
前記記憶ユニットには、少なくとも１つのページめくり効果図が記憶されており、
前記処理ユニットが、前記入力ユニットからのページめくり信号を受信すると、前記電子書籍端末の、更新方向及び複数の更新エリアが定義されている更新モードを起動させる更新モード制御モジュールと、更新モードに基づいて、表示ユニットを、対応する複数の更新エリアに分割すると共に、前記ファイル獲得モジュールが獲得した目標ページの内容を前記複数の更新エリアにそれぞれ対応させて複数の表示部分に分割し、且つ各々の表示部分が対応するページめくり効果図を有するエリア設定モジュールと、次に表示される表示部分を確認し、且つ更新モードにおける更新方向に従って、前記次に表示される表示部分に対応するページめくり効果図が対応する更新エリアに表示された後、前記表示部分が前記対応する更新エリアに表示されるように制御する表示制御モジュールと、を含むことを特徴とする電子書籍端末。
【請求項２】
前記目標ページと前記表示ユニットとの割合及びサイズが一致する場合、前記複数の更新エリアと前記複数の表示部分とのサイズ及び形状は等しいことを特徴とする請求項１に記載の電子書籍端末。
【請求項３】
前記更新方向は、上から下への方向又は右から左への方向であり、且つ前記更新エリアは所定の数であることを特徴とする請求項１に記載の電子書籍端末。
【請求項４】
前記記憶ユニットに記憶されているページめくり効果図が、前記エリア設定モジュールによって分割された複数の表示部分を満たすと、各々の表示部分はサイズ及び割合が完全に対応するページめくり効果図を有することを特徴とする請求項１に記載の電子書籍端末。
【請求項５】
表示ユニットと、少なくとも１つのページめくり効果図がさらに記憶されている記憶ユニットと、を備える電子書籍端末のページめくり制御方法において、
ユーザーが入力したページめくり操作に応答して、対応するページをめくる信号を生成するステップと、
目標ページの内容を獲得し、これと同時に、前記電子書籍端末の、更新方向及び複数の更新エリアが定義されている更新モードを起動するステップと、前記更新モードに基づいて、表示ユニットを複数の更新エリアに分割すると共に、前記目標ページの内容を前記複数の更新エリアにそれぞれ対応させて複数の表示部分に分割するステップと、次に表示される表示部分を確認し、且つ更新モードにおける更新方向に従って、前記次に表示される表示部分に対応するページめくり効果図を、対応する更新エリアに表示させるステップと、前記次に表示される表示部分を前記対応する更新エリアに表示させるステップと、を含むことを特徴とする電子書籍端末のページめくり制御方法。
【請求項６】
前記目標ページと前記表示ユニットの割合及びサイズが一致する場合、前記複数の更新エリアと前記複数の表示部分とのサイズ及び形状はそれぞれ等しいことを特徴とする請求項５に記載の電子書籍端末のページめくり制御方法。
【請求項７】
前記更新方向は、上から下への方向又は右から左への方向であり、且つ前記更新エリアは所定の数であることを特徴とする請求項５に記載の電子書籍端末のページめくり制御方法。
【請求項８】
前記更新モードは、予め設定されていることを特徴とする請求項５に記載の電子書籍端末のページめくり制御方法。
【発明の詳細な説明】
【技術分野】
【０００１】
本発明は、電子書籍端末及びそのページめくり制御方法に関するものである。
【背景技術】
【０００２】
従来の電子書籍端末におけるページめくりにおいて、通常、ページ面の全体を更新しなければならない。また、電子書籍のページをめくる際、表示効果が単一であるだけでなく、ページの更新速度も遅いことから、度々ゴースト現象が発生する。
【発明の概要】
【発明が解決しようとする課題】
【０００３】
以上の問題点に鑑みて、本発明は、電子書籍において、ページをめくる際に視覚効果が良く、且つゴースト現象が発生しない電子書籍端末及びそのページめくり制御方法を提供することを目的とする。
【課題を解決するための手段】
【０００４】
前記課題を解決するために、本発明に係る電子書籍端末は、ページめくり操作に応答して対応する操作信号を生成する入力ユニットと、表示ユニットと、電子ファイルが記憶されている記憶ユニット及び前記入力ユニットからのページめくり信号を受信すると、前記記憶ユニットから既に開かれた電子ファイルにおける目標ページの内容を獲得するファイル獲得モジュールを含む処理ユニットと、を備える電子書籍端末において、前記記憶ユニットには、少なくとも１つのページめくり効果図が記憶されており、前記処理ユニットが、前記入力ユニットからのページめくり信号を受信すると、前記電子書籍端末の、更新方向及び複数の更新エリアが定義されている更新モードを起動させる更新モード制御モジュールと、更新モードに基づいて、表示ユニットを、対応する複数の更新エリアに分割すると共に、前記ファイル獲得モジュールが獲得した目標ページの内容を前記複数の更新エリアにそれぞれ対応させて複数の表示部分に分割し、且つ各々の表示部分が対応するページめくり効果図を有するエリア設定モジュール及び次に表示される表示部分を確認し、且つ更新モードにおける更新方向に従って、前記次に表示される表示部分に対応するページめくり効果図が対応する更新エリアに表示された後、前記表示部分が前記対応する更新エリアに表示されるように制御する表示制御モジュールと、を含む。
【０００５】
また、前記課題を解決するために、本発明に係るページめくり制御方法は、表示ユニットと、少なくとも１つのページめくり効果図がさらに記憶されている記憶ユニットと、を備える電子書籍端末に適用され、且つ、ユーザーの入力ユニットを介して入力したページめくり操作に応答して、対応するページをめくる信号を生成するステップと、目標ページの内容を獲得し、これと同時に、前記電子書籍端末の、更新方向及び複数の更新エリアが定義されている更新モードを起動するステップと、前記更新モードに基づいて、表示ユニットを複数の更新エリアに分割すると共に、前記目標ページの内容を前記複数の更新エリアにそれぞれ対応させて複数の表示部分に分割するステップと、次に表示される表示部分を確認し、且つ更新モードにおける更新方向に従って、前記次に表示される表示部分に対応するページめくり効果図を、対応する更新エリアに表示させるステップと、前記次に表示される表示部分を前記対応する更新エリアに表示させるステップと、を含む。
【発明の効果】
【０００６】
本発明に係る電子書籍端末において、表示ユニットを複数の更新エリアに分割し、同時に、ファイル獲得モジュールが獲得した目標ページの内容を前記複数の更新エリアにそれぞれ対応させて複数の表示部分に分割し、且つ更新モードにおける更新方向に従って、前記複数の表示部分を、対応する更新エリアに逐次表示することにより、動的なページめくり効果を提供し、且つ従来の更新におけるゴースト現象を防止することができる。
【図面の簡単な説明】
【０００７】
【図１】本発明に係る電子書籍端末の機能ブロック図である。
【図２】本発明に係る電子書籍端末のページめくり制御方法の流れ図である。
【図３】本発明に係る電子書籍端末におけるページをめくる過程を示す図である。
【図４】本発明に係る電子書籍端末におけるページをめくる過程を示す図である。
【図５】本発明に係る電子書籍端末におけるページをめくる過程を示す図である。
【図６】本発明に係る電子書籍端末におけるページをめくる過程を示す図である。
【図７】本発明に係る電子書籍端末におけるページをめくる過程を示す図である。
【発明を実施するための形態】
【０００８】
以下、図面に基づいて、本発明に係る電子書籍端末及びそのページめくり制御方法について詳細に説明する。
【０００９】
図１に示したように、本発明に係る電子書籍端末１００は、入力ユニット１０と、表示ユニット２０と、記憶ユニット３０及び処理ユニット４０と、を備える。
【００１０】
前記表示ユニット２０は電子ペーパーディスプレイであり、前記記憶ユニット３０には、複数の電子ファイルが記憶されている。また、前記処理ユニット４０は、ファイル獲得モジュール４０１と、更新モード制御モジュール４０２と、エリア設定モジュール４０３及び表示制御モジュール４０４と、を備える。
【００１１】
前記入力ユニット１０は、ユーザーの前記記憶ユニット３０に既に記憶されているファイルを開く操作、又は既に開かれたファイルに対してページをめくる等の操作に応答して、相応する操作信号（電子ファイルを開く信号、又はページをめくる信号）を生成し、該生成した操作信号を前記処理ユニット４０に転送する。本実施形態において、前記入力ユニット１０はボタン入力装置又はタッチ入力装置であり、且つ少なくとも確認キーと、ページアップキー及びページダウンキーと、を備える。
【００１２】
前記ファイル獲得モジュール４０１は、前記入力ユニット１０からのページめくり信号を受信すると、前記記憶ユニット３０から、既に開かれた電子ファイルにおける目標ページ（表示したいページ）の内容を獲得し、且つその内容を表示する。
【００１３】
前記更新モード制御モジュール４０２は、前記入力ユニット１０からのページめくり信号を受信すると、前記電子書籍端末１００の更新モードを起動させる。本実施形態において、該起動された更新モード下において、更新方向及び該更新方向に基づいて更新して設定された更新エリアを定義する。前記更新方向は、上から下へ、左から右へ、右から左へ、時計回り方向又は反時計回り方向等を含み、前記更新エリアは、１つのページにおける一行、又は三行、又は他の予定形状及びサイズのエリアである。従って、更新モード下において、更新方向に基づいて、更新エリアを逐次更新することができる。また、前記更新モードは、システムに予め設定することができるが、ユーザー自身で選択することもできる。
【００１４】
前記エリア設定モジュール４０３は、前記表示ユニット２０を、前記更新モード制御モジュール４０２が起動した更新モードに基づいて、更新モード下で定義された複数の更新エリアに分割すると共に、前記ファイル獲得モジュール４０１が獲得した目標ページの内容を前記複数の更新エリアに対応させて複数の表示部分に分割する。本実施形態において、前記表示ユニット２０の分割された複数の更新エリアのサイズ及び形状はそれぞれ等しく、前記目標ページの分割された複数の表示部分のサイズ及び形状もそれぞれ等しい。また、前記目標ページと前記表示ユニット２０の割合及びサイズが一致する場合、前記複数の更新エリアと前記複数の表示部分とのサイズ及び位置は各々対応する。また、他の実施形態において、前記目標ページと前記表示ユニット２０の割合及びサイズが一致する場合、前記複数の更新エリアと前記複数の表示部分とのサイズ及び位置が各々対応するならば、前記表示ユニット２０の分割された複数の更新エリアのサイズ及び形状は異なってよく、また、前記目標ページの分割された複数の表示部分のサイズ及び形状も異なってよい。
【００１５】
図４を参照すると、前記記憶ユニット３０には、ページめくり効果を表示するための少なくとも１つのページめくり効果図３００が記憶されている。前記ページめくり効果図３００は、黒白のバンドが交互に配列された細長い形状のパターン、又は他の予め設定されたパターンである。前記記憶ユニット３０に記憶されている前記ページめくり効果図３００が、前記エリア設定モジュール４０３によって分割された複数の表示部分を満たすと、各々の表示部分は、割合及びサイズが完全に対応する前記ページめくり効果図３００を有する。また、前記複数の表示部分のサイズ及び形状がそれぞれ等しい場合、前記ページめくり効果図３００の数量は１つであり、且つその形状及びサイズも前記表示部分のサイズ及び形状に等しい。前記複数の表示部分のサイズ及び形状がそれぞれ異なる場合、前記ページめくり効果図３００の数量は前記複数の表示部分の数量に等しく、且つ各々の形状及びサイズも前記表示部分のサイズ及び形状にそれぞれ等しい。また、他の実施形態において、前記ページめくり効果図３００は、他の予め設定されたパターン又は空白のパターンであることができる。
【００１６】
前記表示制御モジュール４０４は、次に表示される表示部分を確認し、且つ更新モードにおける更新方向に従って、該次に表示される表示部分に対応する前記ページめくり効果図３００を、対応する更新エリアに表示した後、前記次に表示される部分が、対応する前記更新エリアに表示されるように制御する。他の実施形態において、前記更新モードは、更新頻度をさらに含み、前記表示制御モジュール４０４は更新方向に従い、且つ該更新頻度に基づいて、前記ページめくり効果図３００及び前記複数の表示部分を、前記表示ユニット２０における対応する更新エリアにそれぞれ逐次表示させる。
【００１７】
図２は、本発明に係る電子書籍端末１００のページめくり制御方法の流れ図であり、この方法は、以下のステップ（Ｓ２０１〜Ｓ２０５）を含む。
【００１８】
ステップＳ２０１では、ユーザーの前記入力ユニット１０を介して入力したページめくり操作に応答して、これに対応するページをめくる信号を生成する。
【００１９】
ステップＳ２０２では、前記ファイル獲得モジュール４０１が目標ページの内容を獲得すると、これと同時に、前記更新モード制御モジュール４０２が前記電子書籍端末１００の１つの更新モードを起動させる。
【００２０】
ステップＳ２０３では、前記エリア設定モジュール４０３が、前記表示ユニット２０を、更新モードに基づいて、複数の更新エリアに分割すると共に、前記ファイル獲得モジュール４０１が獲得した目標ページの内容を前記複数の更新エリアにそれぞれ対応させて、複数の表示部分に分割する。
【００２１】
ステップＳ２０４では、前記表示制御モジュール４０４が、次に表示される表示部分を確認し、且つ更新モードにおける更新方向に従って、前記次に表示される表示部分に対応する前記ページめくり効果図３００を、対応する更新エリアに表示させる。
【００２２】
ステップＳ２０５では、前記次に表示される表示部分を、前記対応する更新エリアに表示させる。
【００２３】
以下、図３〜図７に基づいて、本発明の１つの実施形態に係るページをめくる過程について詳細に説明する。
【００２４】
本実施形態において、更新モードはシステムに予め設定され、右から左へ逐次更新し、且つ毎回所定数の列を更新する。該所定数の列は、一列、二列又はそれ以上の列であることができる。他の実施形態において、前記更新モードは、システムに予め設定され、上から下へ逐次更新し、且つ毎回所定数の列を更新するモードであるか、又はユーザー自身によって設定されるモードであることもできる。また、本実施形態において、前記入力ユニット１０は、前記表示ユニット２０の両側に設置されている入力区域を含み、且つ各々の前記入力区域は、ページアップキー及びページダウンキーを備える。
【００２５】
図３において、前記電子書籍端末１００の前記表示ユニット２０に表示されているのは、現在のページの内容である。前記入力ユニット１０の何れかの入力区域のページダウンキーを操作すれば、前記入力ユニット１０はその操作に応答して次のページ(目標ページ)へのページめくり信号を生成する。次いで、前記ファイル獲得モジュール４０１が目標ページの内容を獲得すると、これと同時に、前記更新モード制御モジュール４０２は前記更新モード（即ち、右から左へ逐次更新し、且つ毎回所定数の列を更新する更新モード）を起動する。前記エリア設定モジュール４０３は、該更新モードに基づいて、前記表示ユニット２０を複数の更新エリア（即ち、第一更新エリア３０１、第二更新エリア３０２、・・・、第七更新エリア３０７等）に分割すると共に、前記目標ページの内容を、前記複数の更新エリアにそれぞれ対応させて、複数の表示部分（即ち、第一表示部分３０１’、・・・、第六表示部分３０６’、第七表示部分３０７’等）に分割する。
【００２６】
前記表示制御モジュール４０４は、前記右から左へ逐次更新し、且つ毎回所定数の列を、更新する更新モードに基づいて、前記ページめくり効果図３００及び複数の表示部分が対応する更新エリアに逐次表示されるように制御する。図４〜図６に示したように、前記表示制御モジュール４０４は、前記ページめくり効果図３００が前記表示ユニット２０の第一更新エリア３０１に表示された後、前記第一表示部分３０１’が前記表示ユニット２０の第一更新エリア３０１に表示されると共に、前記ページめくり効果図３００が前記表示ユニット２０の前記第二更新エリア３０２に表示されるように制御する。これらの制御は、前記目標ページの内容が前記表示ユニット２０に全て表示されるまで行う（図７を参照）。
【００２７】
本発明に係る電子書籍端末１００において、前記表示ユニット２０を複数の更新エリアに分割し、これと同時に、前記ファイル獲得モジュール４０１が獲得した目標ページの内容を、前記複数の更新エリアにそれぞれ対応させて複数の表示部分に分割し、且つ更新モードにおける更新方向に従って、前記複数の表示部分を、対応する更新エリアに逐次表示することにより、動的なページめくり効果を提供し、且つ従来の更新におけるゴースト現象を防止することができる。
【００２８】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００２９】
１００  電子書籍端末
３００  ページめくり効果図
３０１  第一更新エリア
３０２  第二更新エリア
３０３  第三更新エリア
３０７  第七更新エリア
３０１’  第一表示部分
３０３’  第三表示部分
３０７’  第七表示部分
１０  入力ユニット
２０  表示ユニット
３０  記憶ユニット
４０  処理ユニット
４０１  ファイル獲得モジュール
４０２  更新モード制御モジュール
４０３  エリア設定モジュール
４０４  表示制御モジュール
【図１】
2013012201.tif 000003
【図２】
2013012201.tif 000004
【図３】
2013012201.tif 000005
【図４】
2013012201.tif 000006
【図５】
2013012201.tif 000007
【図６】
2013012201.tif 000008
【図７】
2013012201.tif 000009